(57)【特許請求の範囲】
【請求項１】
デジタルテレビ放送を受信するテレビ放送受信手段と、
インターネットと接続可能なインターネット接続手段と、
前記テレビ放送受信手段で受信したデータに含まれるデータ情報、番組情報、ＥＰＧ情報、受信可能局情報および前記インターネット接続手段を介して取得可能なインターネットテレビ情報のうち少なくとも１つを含むテレビ情報を取り込むテレビ情報取込手段と、
前記テレビ放送受信手段が受信中のテレビ放送が受信不能となった時に、受信中の放送局の系列局のサーチを行っているか否かを検出する検出手段と、
前記検出手段によりサーチが行われていることが検出されたとき、前記テレビ情報を表示するための前記受信中のテレビ放送の番組情報に関する画像を形成する画像形成手段と、
前記テレビ放送受信手段のサーチ中に、前記画像形成手段により形成された前記受信中のテレビ放送の番組情報に関する画像をテレビ表示手段に出力する出力手段と、を有し、
前記出力手段は、前記テレビ放送受信手段が系列局をサーチしている時に、系列局のサーチ開始前に視聴していた番組の終了時刻が過ぎたことを検出した場合には、受信可能局情報を出力する、画面表示処理装置。
【請求項２】
前記テレビ情報取込手段は、前記テレビ情報を記憶する記憶手段を備え、
前記画像形成手段は、前記記憶手段に記憶されたテレビ情報に基づき画像を形成する、請求項１に記載の画面表示処理装置。
【請求項３】
前記出力手段は、前記テレビ放送受信手段が系列局を受信することができない時には、受信可能局情報を出力する、請求項１に記載の画面表示処理装置。
【請求項４】
前記テレビ放送受信手段は、テレビ放送受信手段が作動を開始した時に、予め記憶された最後に受信した放送局のサーチを行い、
前記画像形成手段は、前記記憶手段に記憶された最後に受信した放送局のテレビ情報に基づき画像を形成し、前記出力手段は、前記最後に受信した放送局のテレビ情報に基づき形成された画像を出力する、請求項２に記載の画面表示処理装置。
【請求項５】
前記出力手段は、前記テレビ放送受信手段が最後に受信した放送局を受信することができない時には、受信可能局情報を出力する、請求項４に記載の画面表示処理装置。
【発明の詳細な説明】
【技術分野】
【０００１】
本発明は、所定のテレビ局の放送を受信するためにサーチを行う時、サーチ期間中に画面にほとんど何も表示されないことによる、利用者の不快感を解消することができるようにしたテレビ放送受信サーチ中の画面表示処理装置に関する。
【背景技術】
【０００２】
地上デジタル放送は高速で移動する車両等にも適切な受信が容易であるため、車両搭載機器として地上デジタル放送の受信器を備えることが多くなってきている。また、地上デジタル放送はアナログ放送と異なり、データ放送も受信でき、また現在放送している番組の情報等の種々の情報も受信でき、ＥＰＧ（ Electric Program Guide ・電子番組ガイド）も容易に受信できるため、多彩な情報を取り込むことができ、その点からも広く普及している。
【０００３】
しかしながら、地上デジタル放送はその電波の特性から、１つの放送局でカバーできる範囲は限られており、１つの放送局でも電波を中継する中継局を配置して電波の送信範囲を広げ、また難視聴区域を減らすようにしている。その際には多くの場合周波数は同じであるが、時には異なる周波数を使用することもある。
【０００４】
更に、放送番組を主として製作する放送局が地方の放送局を系列化し、例えば日本テレビ系、フジテレビ系、ＴＢＳ系、テレビ朝日系等の系列を作っている。これらの系列局では、例えば実況放送やニュース等では同じ時間に同じ放送を行うことが多いが、例えばクイズ番組等では異なる時間帯に放送することもある。
【０００５】
したがって車両に搭載したテレビ放送受信器では、車両の移動と共に現在受信して視聴しているテレビが受信できなくなった時、同じ放送局の中継局を探し、適切な中継局が存在しない時には同じ放送局の系列局を探してこれを受信して視聴することとなる。その処理を円滑に行うため、デジタル放送では番組配列情報SI（Service Information）に含まれる各放送局のNIT（Network Information Table）情報を用いて、親局である放送局の中継局リストを作成すると共に、BIT(Broadcaster Information Table)情報のaffiliation-id(系列識別子)を用いて系列局リストを作成しておき、現在受信中の放送局の受信が不可能になったとき、前記各リストを用いて中継局サーチ、或いは系列局サーチをして受信する処理を行っている。
【０００６】
なお、第１の受信再生部で視聴している放送の受信状態がサービスエリアを移動することにより悪化した場合に、第２受信再生部の受信状態が良好であれば、第２受信再生部で視聴中の放送局の情報から現在地に関する情報を抽出し、この情報と記憶手段に予め保持している放送局の情報から、現在地で受信可能なチャンネルを決定して、系列局サーチを行うことにより、ＧＰＳ等の専用の現在地検出手段を用いずに、放送の視聴を継続する選局にかかる処理時間を短縮する技術は特許文献１に開示されている。
【先行技術文献】
【特許文献】
【０００７】
【特許文献１】特開２０１０−１５４４４７号公報
【発明の概要】
【発明が解決しようとする課題】
【０００８】
前記のように、車両に搭載したテレビ放送受信器で地上デジタル放送を受信して視聴する時、車両の移動と共に現在受信していた放送局の電波を受信できない時、中継局のサーチを行うほか、現在放送している局に関連が強く、同じ番組を継続して視聴することができる可能性が高く、また、いつも視聴している番組を見ることができる可能性の高い系列局のサーチを行って、視聴を継続するようにしている。
【０００９】
このような系列局サーチを行うには、ＧＰＳデータを用いて現在視聴可能な系列局をサーチし、また、データ放送に含まれている系列局のデータを用い、また、テレビ受信部を複数備えて、互いに連携しながら適切な系列局のサーチを、できる限り早く、また視聴可能な系列局が複数存在する時には最も受信状況の良い系列局を選択する系列局サーチを行う、等の種々の手法が用いられている。
【００１０】
しかしながら、上記のような各種の手段を用いても、必ずしも充分ではなく、特に高層ビル群の中や、トンネル、山間部等では現在受信しているテレビ局の受信ができなくなってから、系列局のサーチを行い、それでも系列局が見つからず、或いは本来受信できるはずの系列局も受信できない状態も存在し、他の局も全く受信できない状態も存在する。
【００１１】
このような時には、例えば図５（ａ）に示すように、最初は野球のテレビ放送を受信中に、前記のような各種の理由によって受信している電波状況が悪化したとき、受信器では系列局サーチを行うこととなる。その際には例えば同図に示すように、ほとんど何も表示されない、いわゆる「黒画面」と共に「サーチ中」の表示、及び図示の例のように、経過時間の目安となる表示を行うこととなる。
【００１２】
この状態が比較的短時間で系列局の受信ができる場合は良いが、系列局とされる局を順に受信を試みてもなかなか受信できない時、更には系列局が受信できないことにより他の受信できる放送局を受信することを試み、それでもなかなか受信できないような場合、同図に示すような黒画面が継続して表示されることとなり、利用者にとっては見苦しい画面の表示が続き、不愉快にならざるを得ない。
【００１３】
また、例えば車両のモニタにナビゲーション画面を表示している状態で、テレビを受信したいと思った時、ナビゲーション画面からテレビ表示に切り替えた際に、通常のテレビ放送受信器が備えているリジューム機能によって、現時点からみて最後に見ていた放送局の受信を行うこととなる。
【００１４】
そのような際には、図５（ｂ）に示すように、最初にテレビの受信に切り替えた時、最後には８チャンネルを受信していた際には、このテレビ放送受信器は最初に８チャンネルの受信を試みることとなる。その際に、種々の理由により以前視聴していた８チャンネルが受信できない時、図示するような黒画面が継続し、ここでもその後、系列局サーチを行う等の処理がなされ、適当な局が受信できるまで黒画面の状態が継続することとなり、利用者にとって見苦しい画面表示が続くことになり好ましくない。
【００１５】
したがって本発明は、テレビの受信を開始した時に、最後に視聴していたテレビ局を受信できない場合、更には現在視聴していたテレビ局の受信ができずに系列局サーチを行う場合、新たなテレビ局が受信できるまで、実質的に何も表示されない画面の表示状態が継続し、利用者を不快にさせることの無いようにしたテレビ放送受信サーチ中の画面表示処理装置を提供することを主たる目的とする。
【課題を解決するための手段】
【００１６】
本発明に係るテレビ放送受信サーチ中の画面表示処理装置は、前記課題を解決するため、デジタルテレビ放送を受信するテレビ放送受信手段と、前記テレビ放送受信手段で受信したデータからテレビ情報を取り込むテレビ情報取込手段と、前記テレビ放送受信手段で受信を行う局の受信のためにサーチを行っていることを検出する受信局サーチ中検出手段と、前記受信局サーチ中検出手段で前記テレビ放送受信手段がサーチを行っていることを検出した時、前記テレビ情報を取り込んでテレビ画面に表示する画像を形成するサーチ中テレビ画面表示画像形成手段と、前記サーチ中テレビ画面表示画像形成手段で形成したテレビ情報の画像を、テレビ表示手段に出力するテレビ表示データ出力手段とを備えたことを特徴とする。
【００１７】
また、本発明に係る他のテレビ放送受信サーチ中の画面表示処理装置は、前記テレビ放送受信サーチ中の画面表示処理装置において、前記テレビ情報取込手段で取り込んだテレビ情報を更新しながら記憶するテレビ情報記憶手段を備え、前記サーチ中テレビ画面表示画像形成手段では、前記テレビ情報記憶手段に記憶しているテレビ情報を読み込んでテレビ画面表示用画像を形成することを特徴とする。
【００１８】
また、本発明に係る他のテレビ放送受信サーチ中の画面表示処理装置は、前記テレビ放送受信サーチ中の画面表示処理装置において、前記テレビ放送受信手段では、テレビ放送受信中に受信不能となった時に、今まで受信していた放送局の系列局をサーチし、前記テレビ表示データ出力手段では、前記テレビ放送受信手段で系列局をサーチしている時には、今まで視聴していた番組のテレビ情報を表示することを特徴とする。
【００１９】
また、本発明に係る他のテレビ放送受信サーチ中の画面表示処理装置は、前記テレビ放送受信サーチ中の画面表示処理装置において、前記テレビ表示データ出力手段では、前記テレビ放送受信手段で系列局をサーチしている時に、今まで視聴していた番組が終了する時刻を過ぎたことを検出した時には、受信可能な局のリストを表示することを特徴とする。
【００２０】
また、本発明に係る他のテレビ放送受信サーチ中の画面表示処理装置は、前記テレビ放送受信サーチ中の画面表示処理装置において、前記テレビ表示データ出力手段では、前記テレビ放送受信手段で系列局を受信するためのサーチを行って受信できない時には、受信可能な局のリストを表示することを特徴とする。
【００２１】
また、本発明に係る他のテレビ放送受信サーチ中の画面表示処理装置は、前記テレビ放送受信サーチ中の画面表示処理装置において、前記テレビ放送受信手段では、テレビ放送受信手段の作動を開始した時には、予め記憶している最後に受信した局を受信するためのサーチを行い、前記テレビ表示データ出力部では、前記テレビ情報記憶手段に記憶している、最後に視聴したテレビ局のテレビ情報を表示することを特徴とする。  
【００２２】
また、本発明に係る他のテレビ放送受信サーチ中の画面表示処理装置は、前記テレビ放送受信サーチ中の画面表示処理装置において、前記テレビ表示データ出力手段では、前記テレビ放送受信手段で最後に受信した局を受信するためのサーチを行って受信できない時には、受信可能な局のリストを表示することを特徴とする。
【発明の効果】
【００２３】
本発明は上記のように構成したので、テレビの受信を開始した時に、最後に視聴していたテレビ局を受信できない場合、更には現在視聴していたテレビ局の受信ができずに系列局サーチを行う場合に、所望のテレビ局が受信できるまで、実質的に何も表示されない画面の表示状態を継続することなく、テレビ情報を表示することにより、利用者を不快にさせることが無くなる。
【図面の簡単な説明】
【００２４】
【図１】本発明の機能ブロック図である。
【図２】同実施例におけるテレビ受信処理の作動フロー図である。
【図３】同実施例におけるテレビ受信中の受信不能時処理の作動フロー図である。
【図４】本発明による画面表示の態様を示す図である。
【図５】従来例の画面表示態様を示す図である。
【発明を実施するための形態】
【実施例】
【００２５】
本発明の実施例を図面に沿って説明する。図１は本発明を実施する機能ブロック図であり、本発明を各種の態様で実施することができるようにした例を示している。したがって、本発明はこれらの機能ブロックの内任意のものを選択して、各種の態様で実施することができる。なお、図１における各機能部は、各機能を行う手段と言うこともできる。
【００２６】
図１に示す例においては、テレビ受信処理部１においてデジタルテレビ放送をテレビ放送受信部２で受信し、テレビ情報データ分離部３ではテレビ情報取得部１１に例示しているようなデジタル放送で送信されている各種のテレビ情報を、受信した各種のテレビ用データの中から分離し、後述するようにこれをテレビ情報取込部１１で容易に取り込むことができるようにしている。テレビ放送受信部２で受信したテレビ放送の画像データは、テレビ表示データ出力部１８のテレビ放送受信画像出力部１９に出力し、これをモニタ等のテレビ表示部１７に出力している。なお、音声は図示されないスピーカから出力している。
【００２７】
テレビ情報データ分離部３で分離したデジタルテレビ放送で送信される各種の情報は、前記のようにテレビ情報取込部１１で取り込まれるが、この時のテレビ情報としては、図中に例示するように、データ放送、番組情報、ＥＰＧ、受信可能局等であるが、これらの内任意のものを予め選択設定して取り込むようにしても良い。この時に取り込む各種データはデータ画更新されるたびに取り込んでも良く、一定時間毎に取り込んでも良い。
【００２８】
図１に示すテレビ情報取込部１１ではこのテレビ放送受信器がインターネット接続部１６でインターネット接続可能な時、定期的に、或いは利用者の指示等によりインターネットに接続し、テレビ情報の提供部門から、例えばテレビの番組に関する各種情報等を取り込むことができるようにしている。その際には長期間テレビを受信していなかったような場合で、テレビが最初から受信できないような場合でも、最新のテレビ情報を取り込むことができる。
【００２９】
テレビ情報取込部１１で取り込んだ前記のような各種のデータは、テレビ情報記憶部１２に更新しながら記憶する。したがって、テレビ情報取込部１１で例えばＥＰＧデータを取り込む時、これを記憶することにより、１週間分の番組関連情報を取り込んで記憶しておくことができるので、テレビ放送受信後数日経過してからテレビ放送を受信しようとした時に、テレビ放送を受信できない状態であっても、このデータを利用して表示することができる。
【００３０】
テレビ情報記憶部１２に記憶した前記のようなテレビ情報は、後述するようにサーチ中テレビ画面表示画像形成部２３の指示により、テレビ情報読込部１３で読み込んで、得られたテレビ情報をそのまま用いて表示し、或いは所定の画像に形成し、これをテレビ表示データ出力部１８からテレビ表示部１７に表示可能としている。
【００３１】
受信局選択指示部４ではテレビ放送受信処理部１で受信する受信局の選択と受信の指示を行うものであり、その中の自動選択指示部５では、例えば現在迄受信していたテレビ放送が受信できなくなった時、同じ放送局の系列局をサーチする際に、前記のような系列局のデータにより自動的にその系列局を順にサーチするような場合、この自動選択指示部５で受信局の選択と指示を行う。
【００３２】
また、例えば受信局記憶部１５においてテレビの電源を切り、或いはモニタへの表示に際してテレビの受信画面からナビゲーション用画面等に切り替えた時、今まで受信していたテレビの受信放送局を受信局記憶部１５に記憶していた時には、その後テレビ放送を受信する際に、受信局読込部１４でこれを読み込んで、自動的にその局を受信する際にもこの自動選択指示部５で作動を行うこととなる。
【００３３】
それに対して手動選択指示部６では、利用者が任意の局を直接選択指示するものであり、その際には利用者が単にチャンネル指示釦等を操作する以外に、例えば画面に表示された番組表を見て、任意の局を指示し、或いは番組自体を指示する場合等、種々の場合が存在する。
【００３４】
受信可否判別部７では、受信局選択指示部４で選択した受信指示を行った局について、受信が可能であるか否かを判別するものであり、その際にはテレビ情報取込部１１で取り込んだ受信可能局のデータに含まれているか否かによって判別するテレビ情報利用判別部８と、受信局選択指示部４で選択した局について、テレビ放送受信部２で実際に受信を試みて、所定時間内に受信できない時に受信不能と判別する実サーチ判別部９とを備えている。
【００３５】
テレビ表示データ出力部１８では、テレビ表示部１７に表示するデータを出力するものであり、ここで出力するデータとしては、通常のテレビ放送を受信するテレビ放送受信部２で受信したデータを取り込んで出力する、定常テレビ放送受信データ１９の出力部を備えている。
【００３６】
テレビ表示データ出力部１８にはそのほか、テレビ情報関連データ２０の出力部を備え、定常的なテレビ画面の表示中にも利用者によりデータ放送や番組表を表示する指示があった時には、テレビ放送受信処理部１のテレビ情報データ分離部２で分離した最新のデータ放送や番組表の表示を行う。
【００３７】
そのほかこのテレビ情報関連データ２０の出力部では、受信局サーチ中検出部２２がテレビ放送受信処理部１のテレビ放送受信部２で、受信局選択指示部４の指示によって所定の局の受信処理を行っている時、現在サーチ中であることを検出した際には、サーチ中テレビ画面表示画像形成部２３において、テレビ情報読込部１３で読み込んだテレビ情報記憶部１２に記憶している最新のテレビ情報によって、或いはテレビ情報データ分離部３で分離したデータを直接ここに取り込んで、テレビ情報表示用の画像を形成して出力してきた時、このテレビ情報関連データ２０の出力部からテレビ表示部に出力可能としている。
【００３８】
また、テレビ作動表示データ２１の出力部においては、前記のようにサーチ中テレビ画面表示画像形成部２３からのデータにより、或いは別個の表示手段によって、例えば現在サーチ中であること、それがどの程度の時間継続しているかの目安、現在はどのチャンネルをサーチしているか等の、現在テレビでどのような作動を行っているかのデータに基づいて、その表示出力を行っている。
【００３９】
番組終了検出部２４では、例えばテレビ放送受信部２で系列局のサーチを行う時、特に受信できる系列局がなかなか見つからないような場合、今まで視聴していた番組が終わってしまい、その後に系列局を受信できてもあまり意味が無くなることが多いので、ここでは系列局サーチに際して、テレビ情報読込部１３でテレビ情報記憶部１２から現在まで視聴していた番組の終了時刻のデータを読み込んで、この番組終了時刻になったか否かを監視できるようにする。ここで番組終了時刻になったことを検出した時には、現在視聴できる局のリストを表示し、利用者が視聴したい局を選択できるようにする。
【００４０】
本発明は図１に示す機能ブロックにより、例えば図２に示すような作動フローにしたがって作動させることにより、本発明において特にテレビ受信のサーチ中における各種テレビ情報の表示処理を行うことができる。図２に示すテレビ受信処理の例においては、最初テレビの作動開始処理から始めている（ステップＳ１）。
【００４１】
ここでのテレビの作動開始とは、テレビの電源をＯＮしてテレビ放送の受信を開始することであるが、単にテレビのスイッチを操作して電源をＯＮにする以外に、例えば車両用のモニタにナビゲーション画面を表示している時、モニタの表示画面切替部においてテレビ画面に切り替える指示を行うことによって、テレビの受信作動が開始される時には、この場合も含まれる。
【００４２】
次いで、最後に受信していたテレビ局を受信サーチする（ステップＳ２）。この作動は通常のテレビ放送受信器において採用されているリジューム機能であり、図１の例では受信局記憶部１５において、先にテレビを受信していてそのテレビ受信が終了した時、それまで受信していた局をここに記憶しておき、その後前記ステップＳ１の作動時に受信局読込部１４がこれを読み込んで、受信局選択指示部４の自動選択指示部５がテレビ放送受信処理部１のテレビ放送受信部２に対して、自動的のその局を受信するように指示を行うことによって作動する。
【００４３】
その後図２の例においては、テレビ情報を更新して取得し、記憶する（ステップＳ３）。この作動は図１のテレビ放送受信処理部１におけるテレビ情報データ分離部３において、テレビ放送受信部２で受信している局の定常放送と共に送信されるデータ放送、番組情報、ＥＰＧ等を受信し、テレビ情報取込部１１でそれらのデータを分離し、これを取り込むことによって行っている。
【００４４】
この時取り込むテレビ情報としては、前記のようにテレビ放送受信部２でサーチしている局とは異なる、現在受信できる局のテレビ情報を取り込むことができるほか、放送データ上では現在受信可能なことになっている受信可能局のデータを取り込むこともできる。また、前記のように図１のインターネット接続部１６を介してテレビ情報を取り込むことができる。
【００４５】
その後ステップＳ４において、記憶している最新のテレビ情報を画面表示する。この作動は、図１の受信局サーチ中検出部２２において、現在テレビ放送受信のためにサーチを開始したことを検出した時、サーチ中テレビ画面表示画像形成部２３が、テレビ情報読込部１３がテレビ情報記憶部１２に記憶している最新のテレビ情報を読み込んで、そのデータにより、所定のテレビ情報画面を形成し、テレビ表示データ出力部１８のテレビ情報関連データ２０の出力部から、テレビ表示部に出力することによって行っている。ここでは特に一番最初に表示されるテレビ情報は、最後に受信していた局のテレビ情報が、テレビ情報記憶部１２に記憶されているので、この情報を読み込んで表示することとなる。
【００４６】
図２に示す例においては、テレビ受信処理部１のテレビ放送受信部２が受信のためにサーチを開始した時、直ちに前記のようなサーチ中に表示するテレビ情報の画面を表示することにより、黒画面のようなサーチ中の画面をできる限り表示することの無いようにした例を示したが、それ以外に、サーチを開始して例えば３秒等の所定時間経過した後で、前記のようなテレビ情報の画面表示を行うようにしても良い。図４（ｂ）には、サーチを開始して３秒等の所定時間が経過して、いわゆる黒画面表示が継続した時、同図に示すようなテレビ情報表示に切り替える例を示している。
【００４７】
その後図２の例においては、現在受信可能な局のデータを取得したか否かを判別している（ステップＳ５）。即ちここでは、現在リジューム機能によって最後に受信していた局のサーチを行っている時、先に受信していた局は受信できず、他の局を受信する処理を行わなければならなくなることを考慮して、ここで受信可能な局のデータを取得して、そのデータ上で受信可能な局でアルか否かを判別することとしている。このデータは、現在テレビ放送を受信している放送受信部とは別個に設けた第２の放送受信部で、他の受信可能な局を受信して、そのデータに含まれている、現在地で受信可能な局のデータを取り込むことによっても行うことができる。  
【００４８】
そのほか、先にテレビを受信していた場所と大きな相違がないことがわかっている時で、テレビ情報記憶部１２に受信可能局のデータが存在する時には、これをテレビ情報読込部１３で読み込んでその情報を取得して、受信可否判別部７のテレビ情報利用判別部８において判別を行うことにより実施することもできる。このステップＳ５において、現在受信可能な局のデータを取得できなかったと判別した時には、ステップＳ７に進むこととなる。
【００４９】
ステップＳ５において、前記のような各種の手法によって、現在受信可能な局の情報を取得できた時には、ステップＳ６に進んで、最後に受信していた局は現在受信可能な局か否かを、取得できた受信可能局のデータによって判別する。ここで現在サーチしている局は現在の状態では受信することができない局であるとデータ上判別した時には、図２の例においてはステップＳ９に進んで、後述するように現在受信可能な局は存在するか否かを判別している。
【００５０】
それに対してステップＳ６において、最後に受信していた局は、データ上現在は受信できる局であると判別した時には、ステップＳ７に進んで最後に受信していた局は受信できたか否かを判別する。ここで受信できたと判別した時には、ステップＳ１４に進んで、最後に受信していた局を受信し表示する。
【００５１】
この時、前記ステップＳ４で行った、テレビ情報画面の表示から、定常のテレビ放送受信に切り替わることとなる。したがって、最後に受信していた局のサーチを行って、実際にその局の放送を受信できるまでは、従来のようないわゆる黒画面を表示することなく、テレビ情報を表示しておくことができる。
【００５２】
このような定常的なテレビの受信状態になった後は、図３のテレビ受信中の受信不能時処理をステップＳ１から開始することとなる。これは後述するように、図２のステップＳ１３の処理と同様である。
【００５３】
前記ステップＳ７において、最後に受信していた局は受信できなかったと判別した時にはステップＳ８に進んで、サーチを開始してから、例えば１５秒等の所定の時間が経過したか否かを判別する。ここで未だその時間が経過していないと判別した時には、ステップＳ７に戻って、最後に受信していた局は受信できたか否かの判別を行い、１５秒等の所定の時間までに受信できた時には前記のようにステップＳ１１に進み、受信できない時には１５秒等の所定の時間が経過するまでその作動を繰り返す。
【００５４】
ステップＳ８において最後に受信していた局は、本来はデータ上受信できるはずであるにもかかわらず、所定時間経過しても受信できなかった時には、前記ステップＳ６において最後に受信していた局はデータ上受信できない局であると判別した時と共にステップＳ９に進み、現在受信可能な局は存在するか否かを判別する。
【００５５】
この判別に際しては、図１の受信可否判別部７のテレビ情報利用判別部８で、テレビ情報記憶部１３に記憶している受信可能局の情報を検索し、その情報が存在するか否かを判別することによって行うことができる。また、更に詳細には、受信可否判別部７の実サーチ判別部９で、テレビ放送受信部１において、最後に受信していた局の系列局サーチを含めて、通常行なわれている広範囲のテレビ局を順にサーチする等の実サーチを行うことにより判別することができる。
【００５６】
この時の受信可能局のサーチに際しては、単に現在の状態で受信可能な局を全てサーチする以外に、最後に受信していた局のサーチに引き続き、系列局データを利用してその局の系列局サーチを行い、適切な系列局が存在しない時に前記のような受信可能局のサーチを行うようにしても良い。
【００５７】
ステップＳ９において現在受信できる局は存在しないと判別した時には、ステップＳ１６に進んで、現在受信可能な局は存在しないことを表示し、次いで利用者がテレビをＯＦＦするか否かを判断し、利用者がこの状態ではテレビを受信できないと思う等によってＯＦＦする判断をした時には、ステップＳ１８に進んでこのテレビをＯＦＦすることとなる。その際には、モニタの表示部や操作釦を操作することによってナビゲーション画面を表示させる等によって、実質的なＯＦＦ作動を行うこともできる。ステップＳ１７で利用者がテレビをＯＦＦしない時には、再びステップＳ１に戻って前記作動を繰り返す。
【００５８】
また、ステップＳ９において、現在受信可能な局は存在すると判別した時には、ステップＳ１０に進んで現在受信可能な局のリストを表示する。ここにおいては後述するように図３Ｓ２９からも同様の処理を行うものとしている。次いで、その表示に基づいて利用者が任意の受信可能局を選択して（ステップＳ１１）、選択した受信可能局を受信してそれを視聴する（ステップＳ１２）。その後ステップＳ１３に進み、前記ステップＳ１５と同様に、図３に進んで、後述するテレビ受信中の受信不能時処理を行う。
【００５９】
図３に示すテレビ受信中の受信不能時処理の例においては、前記のように図２のステップＳ１３とステップＳ１５において、テレビの受信処理を開始してから、何らかのテレビ局が受信され、定常のテレビ受信画像が表示された状態で行う処理となる。その処理に際しては、最初前記のようにして受信されたテレビ局の受信を継続しながら、前記図２のステップＳ３と同様に、テレビ情報を更新して取得し、記憶すると共に、特にここでは現在視聴している番組の終了時刻を取り込んでいる。このデータは前記テレビ情報において、例えばＥＰＧ、番組情報等に含まれているものであるが、後述するようにステップＳ２６でそのデータを用いるため、ここに別途示している。
【００６０】
この処理に際しては、前記図２のステップＳ３では未だ受信可能な局がサーチされていない状態でも、既に記憶しているテレビ情報や、インターネットに接続する等により、何らかのテレビ情報を取得する作動は行うのに対して、図３のステップＳ１においては、既にいずれかのテレビ局の受信を行っているため、少なくともデータ放送によってテレビ情報を受信可能となっている。したがって、ここでは常に最新の情報を更新しながら取り込んで記憶しておくことができる。
【００６１】
その後、現在視聴中のテレビ局からの放送が受信不能になったか否かを判別する（ステップＳ２２）。ここで受信不能になっていないと判別した時には、ステップＳ２１に戻って、テレビ放送の受信の継続と、テレビ情報を更新して取得し、記憶する作動を、ステップＳ２２で現在受信している局の放送を受信できなくなるまで継続する。
【００６２】
ステップＳ２２において現在視聴中のテレビ局の放送を受信できなくなったと判別した時には、図３の例においてはステップＳ２３に進んで、現在視聴中のテレビ局の系列局をサーチする。但し、現在受信している局の放送を受信できなくなった時には、直ちに系列局をサーチする以外に、中継局のサーチを行い、存在する時にはその中継局からの放送を受信する作動も存在するが、ここではこれを省略して示している。なお、このような中継局の多くは、放送周波数は同じであるが、異なる中継局も存在する。
【００６３】
次いでステップＳ２４において、ステップＳ２３で系列局サーチを行っている時に、今まで視聴していた番組のテレビ情報を表示する。この状態は図４（ａ）に示しており、最初野球放送を受信していた状態でその放送が受信できなくなった時、今まで視聴していた番組のテレビ情報を表示し、従来のような実質的な黒画面の表示を行わないようにすると共に、テレビの番組とある程度関連した内容を表示させることができる。
【００６４】
その後ステップＳ２５に進み、系列局は受信できたか否かを判別する。ここで系列局が受信できたと判別した時には、ステップＳ３０に進んで、系列局に受信を切り替えて、これを視聴するための画面表示を行う。
【００６５】
この状態は前記図４（ａ）において、系列局サーチ中におけるテレビ情報表示画面から、系列局を受信してその後の野球放送を継続して受信した状態として示している。したがって、同図に示すように、系列局サーチを行って系列局がサーチできるまで、テレビ情報の表示を行い、実質的な黒画面の表示を行うことが無く、系列局のサーチができた時に、系列局の受信による視聴を、続けて行うことができるようになる。
【００６６】
ステップＳ２５において、系列局は受信できないと判別した時には、図３の例においてはステップＳ２６に進み、視聴していた番組の終了時刻は過ぎたか否かを判別する。この番組の終了の判別に際しては、前記のようにステップＳ２１においてそのデータを確実に取り込んでおり、このデータを用いることができる。
【００６７】
ステップＳ２６において、視聴していた番組の終了時刻は過ぎてはいないと判別した時には、ステップＳ２３に戻って、先に視聴していたテレビ局の系列局サーチを継続し、ステップＳ２４でこのサーチ中は最新取得したテレビ情報を表示する処理を繰り返して、以降は同様の作動を継続する。なお、前記ステップＳ２６において、視聴していた番組の終了時刻は過ぎていないと判別した時においても、例えば３分等の比較的長時間系列局サーチを行った時には、この系列局サーチを終了し、ステップＳ２７に進むように設定しても良い。
【００６８】
ステップＳ２６において、視聴していた番組の終了時刻は過ぎたと判別した時には、現在受信可能な局の情報をリスト表示する（ステップＳ２７）。この状態は図４（ｃ）に示しており、同図に示すように最初野球を視聴していたところ、途中でこれが受信できなくなり、系列局サーチを行う時、画面にはサーチを行っていることを示す表示を行うと共に、テレビ情報を表示しておく。
【００６９】
それにより従来のような実質的な黒画面を表示することが無くなるのは同図の（ａ）と同様であるが、その後は今まで視聴していた番組が終了してしまったことを検出することにより、現在受信可能な局のリストを表示し、利用者に受信局の選択を促す表示を行っている例を示している。この作動は図１の番組終了検出部２４が、テレビ情報読込部１３でテレビ情報記憶部１２から現在まで視聴していた番組の終了時刻データを読み込んで、系列局サーチ時にこの番組終了時刻になったか否かを監視し、ここで番組終了時刻になったことを検出した時には、サーチ中テレビ画面表示画像形成部２３で、現在視聴できる局のリストを表示することにより行っている。
【００７０】
図３に示す例においては、前記ステップＳ２７において、現在受信可能な局のリスト表示を行う処理をした時、表示する局が存在しない場合、即ち現在は受信できる局が存在しなかった時のことを考慮し、ステップＳ２８において、現在受信可能な局は存在するか否かを判別して、存在しなかった時にはステップＳ３１に進み、最新のテレビ情報の表示を継続すると共に、現在受信できる局は存在しないことを表示して、図示の例ではステップＳ２８に戻る。
【００７１】
このステップＳ２６において現在受信可能な局が存在すると判別した時、即ち、ステップＳ２７で現在受信可能な局のリストを表示する処理を行って、実際に受信可能な局のリストが表示できた時には、ステップＳ２９において、図２のステップＳ１０に進み、前記と同様の処理を行う。
【符号の説明】
【００７２】
１  テレビ放送受信処理部
２  テレビ放送受信部
３  テレビ情報データ分離部
４  受信局選択指示部
５  自動選択指示部
６  手動選択指示部
７  受信可否判別部
８  テレビ情報利用判別部
９  実サーチ判別部
１１  テレビ情報取込部
１２  テレビ情報記憶部
１３  テレビ情報読込部
１４  受信局読込部
１５  受信局記憶部
１６  インターネット接続部
１７  テレビ表示部
１８  テレビ表示データ出力部
１９  定常テレビ放送受信データ
２０  テレビ情報関連データ
２１  テレビ作動表示データ
２２  受信局サーチ中検出部
２３  サーチ中テレビ画面表示画像形成部
２４  番組終了検出部
【図１】
0005726025.tif 000002
【図２】
0005726025.tif 000003
【図３】
0005726025.tif 000004
【図４】
0005726025.tif 000005
【図５】
0005726025.tif 000006